(57)【要約】【課題】ＦＰＣ配線材料の利用効率を向上させ、ＦＰＣ配線への機械的圧力を低減できる発光モジュール及び照明装置を提供する。【解決手段】発光モジュール１００は、透明基板１０５と、透明基板１０５の上に設けられた面発光素子１１０と、面発光素子１１０の上に設けられ、面発光素子１１０を駆動する駆動回路１０６と、面発光素子１１０と駆動回路１０６とを接続するＦＰＣ配線１０１とを備え、面発光素子１１０は、当該面発光素子１１０の外周部に配置された複数の電極１０２を有し、ＦＰＣ配線１０１は、折り曲げられた状態において、複数の電極１０２と駆動回路１０６とを接続し、折り曲げ前の状態において、１本の連続した略直線状である。【選択図】図４
2015028886.tif 000002
【特許請求の範囲】
【請求項１】
基板と、
前記基板の上に設けられた面発光素子と、
前記面発光素子の上に設けられ、前記面発光素子を駆動する駆動回路と、
前記面発光素子と前記駆動回路とを接続するフレキシブルプリント配線とを備え、
前記面発光素子は、当該面発光素子の外周部に配置された複数の電極を有し、
前記フレキシブルプリント配線は、
折り曲げられた状態において、前記複数の電極と前記駆動回路とを接続し、
折り曲げ前の状態において、１本の連続した略直線状である
発光モジュール。
【請求項２】
前記フレキシブルプリント配線は、少なくとも２箇所折り曲げられている
請求項１に記載の発光モジュール。
【請求項３】
前記フレキシブルプリント配線は、偶数箇所折り曲げられている
請求項１又は２に記載の発光モジュール。
【請求項４】
前記フレキシブルプリント配線は、有機材料および金属材料からなる
請求項１から３のいずれか１項に記載の発光モジュール。
【請求項５】
前記電極は、金属からなる
請求項１から４のいずれか１項に記載の発光モジュール。
【請求項６】
前記面発光素子は有機ＥＬ（Ｅｌｅｃｔｒｏ−Ｌｕｍｉｎｅｓｃｅｎｃｅ）素子である
請求項１から５のいずれか１項に記載の発光モジュール。
【請求項７】
さらに、前記面発光素子と前記駆動回路との間に、前記面発光素子を封止する封止層を備える
請求項１から６のいずれか１項に記載の発光モジュール。
【請求項８】
請求項１から７のいずれか１項に記載の発光モジュールを備えた照明装置。
【発明の詳細な説明】
【技術分野】
【０００１】
本発明は、発光モジュール、および、それを備えた照明装置に関し、特に面発光素子を用いた発光モジュール、および、それを備えた照明装置に関する。
【背景技術】
【０００２】
発光モジュールに用いる面発光素子は、透明基板の上に直接配置された金属電極、有機ＥＬ層および透明電極を順次積層した発光素子の構成を有し、透明電極の上には空気中の水分や酸素を遮断するための封止層が形成されている（例えば、特許文献１参照）。
【先行技術文献】
【特許文献】
【０００３】
【特許文献１】特開２０１３−２５９７６号公報
【発明の概要】
【発明が解決しようとする課題】
【０００４】
このような面発光素子を用いた発光モジュールでは、面発光素子と、この面発光素子を発光させる駆動回路とを接続するフレキシブルプリント配線（以下、ＦＰＣ配線；Ｆｌｅｘｉｂｌｅ  Ｐｒｉｎｔｅｄ  Ｃｉｒｃｕｉｔｓ  基板）が用いられる場合がある。ここで、駆動回路を、面発光素子に対して発光モジュールの光取り出し側と反対側に配置する場合、面発光素子の外周部から封止層以上の厚みを有したＦＰＣ配線を配置させる必要がある。
【０００５】
以下、面発光素子を用いた発光モジュールにおけるＦＰＣ配線の配置について比較例を用いて説明する。図１は、比較例における発光モジュールの構成を示す図であり、（ａ）は平面図、（ｂ）は（ａ）のＡ−Ａ’断面の断面図である。
【０００６】
同図に示すように、比較例における発光モジュール９００は、ＦＰＣ配線９０１と、電極９０２及び発光層９０４を有する面発光素子９１０と、封止層９０３と、透明基板９０５と、駆動回路９０６とを備える。
【０００７】
このような比較例における発光モジュール９００は、次のような課題を有する。
【０００８】
（１）ＦＰＣ配線９０１は、面発光素子９１０の外周部の形状に合わせた形状である必要がある。つまり、ＦＰＣ配線９０１の製造時に、ＦＰＣ配線９０１の母材であるＦＰＣ配線材料を加工する必要があり、この加工によりＦＰＣ配線材料の損失が発生する。言い換えると、図１の（ａ）に示す平面視において、ＦＰＣ配線９０１で囲まれる領域のＦＰＣ配線材料を取り除くことにより、加工前のＦＰＣ配線材料の大きさに対して加工後のＦＰＣ配線９０１の大きさが小さくなる。すなわち、ＦＰＣ配線９０１として用いられないＦＰＣ配線材料が多く発生する。
【０００９】
ＦＰＣ配線９０１のベースとして用いられるフィルムは非常に高価であるため、上述したようなＦＰＣ配線材料の損失は高コストの要因となる。
【００１０】
（２）また、ＦＰＣ配線９０１は、このＦＰＣ配線９０１以上の厚みを有した封止層９０３を乗り越えて駆動回路９０６に接続される。すなわち、封止層９０３に沿ってＦＰＣ配線９０１を折り曲げるときに、ＦＰＣ配線９０１の折り曲げ箇所Ｘにおいて機械的圧力が生じる。このためＦＰＣ配線９０１内の導体の剥離、及び、ＦＰＣ配線９０１の電極接続部からの剥離が生じる可能性がある。
【００１１】
なお、面発光素子の電極は、図２及び図３のように配置される場合もある。このような場合においても、ＦＰＣ配線材料を加工することが必要となる。具体的には、図２に示すように配置された電極９１２と接続されるＦＰＣ配線９１１、及び、図３に示すように配置された電極９２２と接続されるＦＰＣ配線９２１のいずれにおいても、上述のＦＰＣ配線９０１と同様に、ＦＰＣ配線９１１及び９２１が面発光素子の外周部の形状に沿うようにＦＰＣ配線材料を加工する必要がある。
【００１２】
上記課題に鑑み、本発明は、ＦＰＣ配線材料の利用効率を向上させ、ＦＰＣ配線への機械的圧力を低減できる発光モジュール及び照明装置を提供することを目的とする。
【課題を解決するための手段】
【００１３】
上記課題を解決するために、本発明の一態様に係る発光モジュールは、基板と、前記基板の上に設けられた面発光素子と、前記面発光素子の上に設けられ、前記面発光素子を駆動する駆動回路と、前記面発光素子と前記駆動回路とを接続するフレキシブルプリント配線とを備え、前記面発光素子は、当該面発光素子の外周部に配置された複数の電極を有し、前記フレキシブルプリント配線は、折り曲げられた状態において、前記複数の電極と前記駆動回路とを接続し、折り曲げ前の状態において、１本の連続した略直線状である。
【００１４】
また、前記フレキシブルプリント配線は、少なくとも２箇所折り曲げられていてもよい。
【００１５】
また、前記フレキシブルプリント配線は、偶数箇所折り曲げられていてもよい。
【００１６】
また、前記フレキシブルプリント配線は、有機材料および金属材料からなっていてもよい。
【００１７】
また、金属からなっていてもよい。
【００１８】
また、前記面発光素子は有機ＥＬ（Ｅｌｅｃｔｒｏ−Ｌｕｍｉｎｅｓｃｅｎｃｅ）素子であってもよい。
【００１９】
また、さらに、前記面発光素子と前記駆動回路との間に、前記面発光素子を封止する封止層を備えてもよい。
【００２０】
また、本発明は、発光モジュールとして実現できるだけでなく、上記発光モジュールを備える照明装置として実現することもできる。
【発明の効果】
【００２１】
本発明によれば、ＦＰＣ配線材料の利用効率を向上させ、ＦＰＣ配線への機械的圧力を低減できる。
【図面の簡単な説明】
【００２２】
【図１】図１は、比較例における発光モジュールの構成を示す図であり、（ａ）は平面図、（ｂ）は断面図である。
【図２】図２は、比較例における面発光素子の電極の配置の一例を示す平面図である。
【図３】図３は、比較例における面発光素子の電極の配置の他の一例を示す平面図である。
【図４】図４は、実施の形態１に係る発光モジュールの構成を示す図であり、（ａ）は平面図、（ｂ）は断面図である。
【図５】図５は、実施の形態１におけるＦＰＣ配線を説明するための図であり、（ａ）は折り曲げ前の状態におけるＦＰＣ配線を示す平面図であり、（ｂ）は折り曲げ後の状態におけるＦＰＣ配線を示す平面図である。
【図６Ａ】図６Ａは、片面ＦＰＣの構成を示す断面図である。
【図６Ｂ】図６Ｂは、両面ＦＰＣの構成を示す断面図である。
【図７】図７は、駆動回路の詳細構成を示すブロック図である。
【図８】図８は、実施の形態１の変形例に係る発光モジュールの構成の一例を示す平面図である。
【図９】図９は、実施の形態１の変形例に係る発光モジュールの構成の他の一例を示す平面図である。
【図１０】図１０は、実施の形態１の変形例に係る発光モジュールの構成のさらに他の一例を示す平面図である。
【図１１】図１１は、実施の形態２に係る照明装置の構成を示すブロック図である。
【図１２】図１２は、実施の形態３に係る照明装置の概観斜視図である。
【発明を実施するための形態】
【００２３】
以下、本発明の実施の形態に係る発光モジュール及び照明装置について、図面を参照しながら説明する。なお、各図は、模式図であり、必ずしも厳密に図示したものではない。
【００２４】
また、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、独立請求項に記載されていない構成要素については、任意の構成要素として説明される。
【００２５】
（実施の形態１）
まず、実施の形態１に係る発光モジュールについて説明する。図４は、本実施の形態に係る発光モジュール１００の構成を示す図であり、（ａ）は平面図、（ｂ）は（ａ）のＢ−Ｂ’断面の断面図である。
【００２６】
同図に示すように、発光モジュール１００は、ＦＰＣ配線１０１と、電極１０２（陽極１０２ａ、陰極１０２ｂ）及び発光層１０４を有する面発光素子１１０と、封止層１０３と、透明基板１０５と、駆動回路１０６とを備える。このように、発光モジュール１００は、透明基板１０５と、透明基板１０５の上に設けられた面発光素子１１０と、面発光素子１１０の上に設けられ、面発光素子１１０を駆動する駆動回路１０６と、面発光素子１１０と駆動回路１０６とを接続するＦＰＣ配線１０１とを備える。
【００２７】
この発光モジュール１００は、外部から供給された電力（例えば商用電源）によって発光する面発光光源である。具体的には、外部から供給された電力を駆動回路１０６で所定の電力に変換し、変換した電力をＦＰＣ配線１０１を介して面発光素子１１０の電極１０２へ供給する。その結果、面発光素子１１０の発光層１０４が発光する。このようにして発光した光は、透明な陽極１０２ａ及び透明基板１０５を介して発光モジュール１００の外部へ取り出される。ここで、駆動回路１０６は面発光素子１１０に対して光取り出し側と反対側に配置されている。よって、発光モジュール１００を光取り出し側から見た場合の発光面積を大きく確保することができる。
【００２８】
以下、本実施の形態に係る発光モジュール１００の各構成要素について、詳細に説明する。
【００２９】
＜ＦＰＣ配線＞
ＦＰＣ配線１０１は、駆動回路１０６と面発光素子１１０の電極１０２とを接続し、駆動回路１０６から面発光素子１１０に対して電源を供給する。このＦＰＣ配線１０１は、折り曲げられた状態において、電極１０２と駆動回路１０６とを接続し、折り曲げ前の状態において、１本の連続した略直線状である。また、このＦＰＣ配線１０１は有機材料および金属材料から構成されている。なお、略直線状とは、幅を有する帯形状を意味し、短軸方向の長さに対する長軸方向の長さが、例えば、１０倍以上、特定的には２０倍以上、より特定的には３０倍以上のものを指す。
【００３０】
図５は、本実施の形態におけるＦＰＣ配線１０１を説明するための図であり、（ａ）は折り曲げ前の状態におけるＦＰＣ配線１０１を示す平面図であり、（ｂ）は折り曲げ後の状態におけるＦＰＣ配線１０１を示す平面図である。
【００３１】
同図に示すように、ＦＰＣ配線１０１は、ＦＰＣ配線材料１０１ａが折り曲げ箇所１０８で折り曲げられることにより形成されている。言い換えると、面発光素子１１０の外周部の電極１０２に沿うように任意の折り曲げ線で折り曲げることにより、所望の形状をしたＦＰＣ配線１０１を形成することができる。
【００３２】
これにより、面発光素子１１０の外周部の形状に沿ってＦＰＣ配線材料１０１ａの切り出しを行う必要がないため、最小限のＦＰＣ配線材料１０１ａを用いてＦＰＣ配線１０１を形成することができる。すなわち、ＦＰＣ配線材料１０１ａの利用効率を向上できる。
【００３３】
また、折り曲げにより生じるＦＰＣ配線１０１のたわみを利用することにより、封止層１０３を乗り越える位置においてＦＰＣ配線１０１にかかる機械的圧力を緩和することができる。その結果、ＦＰＣ配線１０１内の導体の剥離、及び、ＦＰＣ配線１０１の電極１０２との接続部からの剥離を低減できる。したがって、駆動回路１０６から面発光素子１１０への電源供給を安定化でき、発光モジュール１００の信頼性を向上させることができる。
【００３４】
また、ＦＰＣ配線１０１は、電極１０２と駆動回路１０６とを電気的に接続するための電極１０７を有する。この電極１０７は、駆動回路１０６の電極とワイヤボンド１０９によって接続されている。なお、ＦＰＣ配線１０１は、電極１０７に代わりコネクタ実装用ランドを有してもよい。また、ＦＰＣ配線１０１と駆動回路１０６との電気的接続は、ワイヤーボンディングに限らず、半田付け、コネクタ、導電性接着剤等によって実現されてもよい。
【００３５】
また、ＦＰＣ配線１０１と、電極１０２との間の接続には異方性導電フィルム（ＡＣＦ；Ａｎｉｓｏｔｒｏｐｉｃ  Ｃｏｎｄｕｃｔｉｖｅ  Ｆｉｌｍ）や異方性導電ペースト（ＡＣＰ；Ａｎｉｓｏｔｒｏｐｉｃ  Ｃｏｎｄｕｃｔｉｖｅ  Ｐａｓｔｅ）等を用いて接続する手法が一般的である。
【００３６】
このようなＦＰＣ配線１０１の構成としては、片面ＦＰＣ、両面ＦＰＣ、多層ＦＰＣ、及び、Ｆ／Ｒ等があり、いずれにおいても、絶縁材料を用いたベース及びカバーレイと、金属箔と、接着剤とから構成されている。ＦＰＣ配線１０１のベース及びカバーレイの材料としてはポリイミド、ポリエチレンナフタレート、ＬＣＰ（Ｌｉｑｕｉｄ  Ｃｒｙｓｔａｌ  Ｐｏｌｙｍｅｒ）等が使用される。金属箔の材料としては銅箔等が使用される。接着剤の材料としてはエポキシ系接着剤等が使用される。ＦＰＣ配線１０１の例として図６Ａに片面ＦＰＣを示し、図６Ｂに両面ＦＰＣを示す。
【００３７】
図６Ａに示す片面ＦＰＣは、カバーレイ１１３、カバーレイ接着剤１１４、金属箔１１５、接着剤１１６、及び、ベース１１７がこの順に積層されて形成されている。一方、図６Ｂに示す両面ＦＰＣは、表面側のカバーレイ１１３、カバーレイ接着剤１１４、金属箔１１５、接着剤１１６、及び、ベース１１７がこの順に表面から積層され、裏面側にも同様に、カバーレイ１１３、カバーレイ接着剤１１４、金属箔１１５、接着剤１１６がこの順に裏面から積層されている。なお、ベース１１７は表面側と裏面側とで共通化されている。
【００３８】
各層の厚みは、例えば、ベース１１７として用いられているポリイミドが２５μｍ、カバーレイ１１３として用いられているポリイミドが１２．５μｍ、カバーレイ接着剤１１４が２５μｍ、金属箔１１５として用いられている電解銅箔、及び、接着剤１１６が１８μｍである。なお、スルーホールメッキの厚みは１５μｍである。このように構成された片面ＦＰＣの厚みは１０５．５μｍ、両面ＦＰＣの厚みは１６６μｍである。
【００３９】
＜電極＞
電極１０２には、陽極１０２ａ及び陰極１０２ｂが含まれる。これら陽極１０２ａと陰極１０２ｂとは、面発光素子１１０の中央部において発光層１０４を挟むように配置され、外周部において陽極１０２ａ及び陰極１０２ｂの一方が引き出されて配置され、ＦＰＣ配線１０１の金属箔１１５と電気的に接続されている。
【００４０】
ここで、面発光素子１１０の外周部において、陽極１０２ａと陰極１０２ｂとは、交互に配置される。すなわち、陽極１０２ａと陰極１０２ｂとは、発光モジュール１００の平面視において、封止層１０３よりも外側に交互に配置されているように視認される。このように陽極１０２ａ及び陰極１０２ｂを面発光素子１１０の平面視において偏りなく配置することにより、以下のような効果を奏する。
【００４１】
具体的には、面発光素子１１０の発光層１０４は、外周部に引き出された陽極１０２ａ及び陰極１０２ｂにＦＰＣ配線１０１を介して駆動回路１０６から電源が供給されることにより発光する。上述のように陽極１０２ａ及び陰極１０２ｂが交互に配置されることにより、面発光素子１１０の中央部における電圧降下のバラつきを抑制することができる。その結果、発光層１０４の発光バラつきを抑制することができる。つまり、より均一な発光面を得ることができる。
【００４２】
以下、陽極１０２ａ及び陰極１０２ｂそれぞれの構成について、具体的に説明する。
【００４３】
陽極１０２ａは、透明基板１０５上に直接配置された金属からなり、発光層１０４に対して光出射側に設けられる。この陽極１０２ａは、発光層１０４で発生した光に対して、特定の波長の光のみを透過する導電性材料により構成されていることが好ましい。また、発光層１０４で発生した光に対して半透明であってもよい。この陽極１０２ａを構成する材料としては、酸化インジウムスズ（Ｉｎｄｉｕｍ  Ｔｉｎ  Ｏｘｉｄｅ：ＩＴＯ）等が好ましい。なお、陽極１０２ａは、透明基板１０５上に直接配置されず、他の層を介して配置されていてもよい。また、陽極１０２ａは、発光層１０４で発生した光の少なくとも一部を透過する構成であればよい。
【００４４】
陰極１０２ｂは、発光層１０４に対して陽極１０２ａと反対側に配置された金属からなり、マグネシウムや銀、あるいはそれらの合金等が用いられる。
【００４５】
＜封止層＞
封止層１０３は、面発光素子１１０と駆動回路１０６との間に配置され、面発光素子１１０を封止することにより、この面発光素子１１０を外気から保護する。具体的には、空気中の水分や酸素の発光層１０４への浸入を抑制する。
【００４６】
封止層１０３の形状は、面発光素子１１０を外気から保護し、かつ、面発光素子１１０の外周部へ引き出された電極１０２間を確実に非導通とすることができる形状であれば特に限定されず、面発光素子１１０を完全に被覆する形状であってもよいし、面発光素子１１０の周辺部に閉じたパターンを形成してもよい。封止層１０３の材料としては、例えば、窒化シリコンなどの無機物やＵＶ硬化樹脂などの有機物が用いられる。
【００４７】
＜発光層＞
発光層１０４は、陽極１０２ａと陰極１０２ｂとの間に形成され、陽極１０２ａ及び陰極１０２ｂと併せて面発光素子１１０を構成する。この発光層１０４は、陽極１０２ａと陰極１０２ｂに供給された電力により発光する、例えば、有機ＥＬ（Ｅｌｅｃｔｒｏ−Ｌｕｍｉｎｅｓｃｅｎｃｅ）層である。
【００４８】
有機ＥＬ層の材料としては、例えば、オキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、アンスラセン化合物、シアニン化合物、アクリジン化合物、８−ヒドロキシキノリン化合物の金属鎖体、２、２‘−ビピリジン化合物の金属鎖体、シッフ塩とＩＩＩ族金属との鎖体、オキシン金属鎖体、希土類鎖体等の蛍光物質が用いられる。このような有機ＥＬ層は蒸着法、スピンコート法、キャスト法等により形成できる。
【００４９】
＜透明基板＞
透明基板１０５は、基板の一例であり、面発光素子１１０の光出射側に設けられ、可視光の少なくとも一部を透過する。この透明基板１０５の材料としては、例えば、ソーダガラス、無蛍光ガラス、燐酸系ガラス、硼酸系ガラス等のガラス板、石英、アクリル系樹脂、スチレン系樹脂、ポリカーボネート系樹脂、エポキシ系樹脂、ポリエチレン、ポリエステル、シリコン系樹脂等のプラスチック板およびプラスチックフィルム、アルミナ等の金属板および金属ホイル等が用いられる。ただし、本実施の形態に係る発光モジュール１００は、透明基板１０５側から光を取り出すいわゆるボトムエミッションであるため、透明基板１０５はガラス基板等のように可視光に対して透過量の高い材質であることが好ましい。
【００５０】
＜駆動回路＞
駆動回路１０６は、面発光素子１１０の上に設けられ、面発光素子１１０を駆動する。具体的には、面発光素子１１０に対して光出射側と反対側に設けられている。このように、駆動回路１０６が光出射側と反対側に設けられていることにより、発光モジュール１００を光出射側から見た場合の発光面積を大きく確保することができる。
【００５１】
この駆動回路１０６は、ワイヤボンド１０９によってＦＰＣ配線１０１の金属箔と電気的に接続されている。すなわち、駆動回路１０６は、ワイヤボンド１０９及びＦＰＣ配線１０１を介して電極１０２に電気的に接続されることにより、面発光素子１１０を駆動する。
【００５２】
次に、駆動回路１０６の詳細構成について説明する。
【００５３】
図７は、駆動回路１０６の詳細構成を示すブロック図である。なお、同図には駆動回路１０６によって駆動される面発光素子１１０も示されている。
【００５４】
同図に示すように、駆動回路１０６は、制御電源回路１６１、降圧チョッパ回路１６２、発光素子電流検出回路１６３、分圧回路１６４、及び、制御回路１６５を有する。以下、駆動回路１０６の各構成要素について詳細に説明する。
【００５５】
制御電源回路１６１は、分圧用の抵抗Ｒ１、Ｒ２とツェナーダイオードＺＤ１を有し、電圧Ｖｃｃを生成する。
【００５６】
降圧チョッパ回路１６２は、スイッチング素子Ｑ１、スイッチング素子Ｑ１の駆動回路１６９、回生用ダイオードＤ１、インダクタＬ１及びコンデンサＣ２を有し、スイッチング素子Ｑ１が高周波でスイッチングすることにより、電解コンデンサＣ１に蓄積されている直流電圧を面発光素子１１０に必要な電力に変換する。
【００５７】
発光素子電流検出回路１６３は、電流検出用の抵抗Ｒ３を有し、面発光素子１１０に流れる電流を検出する。
【００５８】
分圧回路１６４は、分圧用の抵抗Ｒ４、Ｒ５を有する。
【００５９】
制御回路１６５は、発光素子電流検出回路１６３によって検出された電流と、分圧回路１６４の抵抗Ｒ４と抵抗Ｒ５との分圧点の電圧とを監視することにより、面発光素子１１０の電圧を検出する。制御回路１６５は、検出した電圧値に応じて、駆動回路１６９にスイッチング素子Ｑ１のスイッチングを行わせる。
【００６０】
以上のような構成により、駆動回路１０６で生成された電源が、ＦＰＣ配線１０１を介して面発光素子１１０に供給される。
【００６１】
ここで、本実施の形態におけるＦＰＣ配線１０１は、上述したように、１本の連続した略直線状のＦＰＣ配線材料１０１ａが折り曲げられることにより形成されている。よって、ＦＰＣ配線１０１にかかる機械的圧力を緩和することができ、その結果、ＦＰＣ配線１０１内の導体の剥離、及び、ＦＰＣ配線１０１の電極１０２との接続部からの剥離を低減できる。したがって、このようなＦＰＣ配線１０１を介して面発光素子１１０と接続された駆動回路１０６は、面発光素子１１０への電力供給を安定して行うことができる。
【００６２】
＜効果等＞
以上のように、本実施の形態に係る発光モジュール１００は、面発光素子１１０と駆動回路１０６とを接続するＦＰＣ配線１０１を備え、ＦＰＣ配線１０１は、１本の連続した略直線状のＦＰＣ配線材料１０１ａが折り曲げられることにより形成されている。これにより、ＦＰＣ配線材料の利用効率を向上させ、ＦＰＣ配線１０１への機械的圧力を低減できる。
【００６３】
また、ＦＰＣ配線１０１は２箇所以上折り曲げられている。これにより、発光モジュール１００の積層方向において互いに異なる位置に配置されている（１）駆動回路１０６と（２）面発光素子１１０の外周部に引き出された陽極１０２ａ及び陰極１０２ｂとを、１本のＦＰＣ配線１０１で接続することができる。
【００６４】
また、ＦＰＣ配線１０１は偶数箇所折り曲げられている。これにより、ＦＰＣ配線１０１の一端の表面と、他端の表面とが同一方向を向くことになる。例えば、ＦＰＣ配線１０１の電極１０７が形成される面を表面とした場合、図４に示すようにＦＰＣ配線１０１の一端の表面が発光モジュール１００の発光側と反対側を向くように配置すると、ＦＰＣ配線１０１の他端の表面も発光側と反対側を向くことになる。したがって、ＦＰＣ配線１０１として片面ＦＰＣを用いることができる。
【００６５】
（実施の形態１の変形例）
なお、発光モジュールの形状及び構成は上記に限らない。以下、その他の発光モジュールの構成について説明する。図８〜図１０は、実施の形態１の変形例に係る発光モジュールの構成を示す平面図である。
【００６６】
図８に示す発光モジュール２００は、正方形の形状をした発光モジュール２００の４辺に電極２０２が配置されている。そこで、本発光モジュール２００におけるＦＰＣ配線２０１は、発光モジュール２００の４辺に沿って折り曲げられている。このように、平面視において発光モジュールを構成する各辺に電極２０２を配置することにより、面発光素子の中央部における電圧降下のバラつきを一層抑制することができる。
【００６７】
また、上記説明ではＦＰＣ配線と駆動回路１０６とはワイヤボンド１０９によって接続されているとしたが、コネクタによって接続されていてもよい。図８に示すＦＰＣ配線２０１はＦＰＣコネクタ２１１によって駆動回路１０６と接続されている。
【００６８】
また、実施の形態１ではＦＰＣ配線は偶数箇所折り曲げられていたが、図８に示すように奇数箇所折り曲げられていてもよい。
【００６９】
図９に示す発光モジュール３００は、長方形の形状をした発光モジュール３００の１辺に電極３０２が配置されている。そこで、本発光モジュール３００におけるＦＰＣ配線３０１は、電極３０２が配置された１辺に沿って配置されている。
【００７０】
図１０に示す発光モジュール４００は、三角形の形状をした発光モジュール４００の１辺に電極４０２が配置されている。そこで、本発光モジュール４００におけるＦＰＣ配線４０１は、電極４０２が配置された１辺に沿って配置されている。
【００７１】
また、上記説明では、ＦＰＣ配線と駆動回路１０６とはワイヤーボンディング又はコネクタ接続されているとして説明したが、半田によって接続されていてもよい。図１０に示すＦＰＣ配線４０１は半田４１２によって駆動回路１０６と接続されている。
【００７２】
なお、これらのＦＰＣ配線の折り曲げは一例であり、他のＦＰＣ配線の折り曲げ方法においても同等の効果を期待できる。また、面発光素子の外周部に引き出された電極数、発光モジュールの形状、及び、ＦＰＣ配線と駆動回路との接続方法においても、上記構成に限らず他の構成においても同等の効果を期待できる。
【００７３】
（実施の形態２）
本発明は、実施の形態１及びその変形例で述べたような発光モジュールとして実現することができるだけでなく、発光モジュールを備える照明装置としても実現することができる。以下、本発明の実施の形態に係る照明装置について、図面を用いて説明する。
【００７４】
図１１は、本実施の形態に係る照明装置の構成を示すブロック図である。
【００７５】
同図に示す照明装置５００は、実施の形態１及びその変形例に係る発光モジュールを備え、電源ユニット５１０と、灯具５２０Ａ及び灯具５２０Ｂとで構成されている。灯具５２０Ａ及び灯具５２０Ｂは、それぞれ、複数の発光モジュール５３０を備えている。
【００７６】
発光モジュール５３０は、例えば、実施の形態１に係る発光モジュール１００に相当し、実施の形態１における面発光素子１１０に相当する面発光素子５４０、及び、実施の形態１における駆動回路１０６に相当する駆動回路５５０を備える。
【００７７】
駆動回路５５０は、点灯装置５５１及び調光信号受信部５５２を備え、電源ユニット５１０から出力された調光信号Ｓに応じた電流を面発光素子５４０に供給する。ここで、面発光素子５４０は入力電流と光出力とがほぼ比例の関係を有する。
【００７８】
点灯装置５５１は面発光素子５４０を点灯させる定電流制御を行い、例えば降圧チョッパ回路で構成される。この点灯装置５５１には調光機能があり、調光信号受信部５５２からの信号を受け振幅調光やＰＷＭ調光を行う。
【００７９】
調光信号受信部５５２は電源ユニット５１０からの調光信号を指令値に変換し点灯装置５５１に伝える。
【００８０】
以上のように構成された照明装置５００は、実施の形態１およびその変形例に相当する発光モジュール５３０を備えるので、実施の形態１及びその変形例と同様の効果を奏する。すなわち、安価に製造できる。
【００８１】
なお、灯具は面発光素子５４０、点灯装置５５１、調光信号受信部５５２が３個の例を示しているが数量が多くても少なくても同等の効果が得られる。
【００８２】
（実施の形態３）
以下、実施の形態３に係る照明装置について図面を用いて説明する。
【００８３】
図１２は、実施の形態３に係る照明装置の概観斜視図である。
【００８４】
同図に示す照明装置６００は、実施の形態１及びその変形例に係る発光モジュールを備え、複数の発光モジュールからなる発光部６０１と、発光部６０１を天井に設置するための吊具６０２と、発光部６０１と吊具６０２とを繋ぐ電源コード６０３とを備える。発光部６０１は、その縁部が灯具ケース６０４で覆われて保護される。吊具６０２は、その表面にリモコン（図示せず）から送信されたリモコン信号を受信するためのリモコン受光部６０５を有する。
【００８５】
以上のように構成された照明装置５００は、実施の形態１およびその変形例に係る発光モジュールを備えるので、実施の形態１及びその変形例と同様の効果を奏する。すなわち、安価に製造できる。
【００８６】
なお、照明装置は天井に吊り下げられる構成に限らず、壁に設置される構成であっても同等の効果を得ることができる。
【００８７】
（その他）
以上、本発明に係る発光モジュール及び照明装置について、実施の形態及び変形例に基づいて説明したが、本発明は、これらの実施の形態及び変形例に限定されるものではない。本発明の趣旨を逸脱しない限り、当業者が思いつく各種変形を上記実施の形態及び変形例に施したものや、異なる実施の形態及び変形例における構成要素を任意に組み合わせて構築される形態も、本発明の一つまたは複数の態様の範囲内に含まれる。
【００８８】
例えば、上記説明では、面発光素子の陽極と陰極とは、面発光素子の外周部において交互に配置されるとしたが、これに限らない。例えば、陽極の隣にさらに陽極が引き出されていてもよい。また、これら陽極及び陰極が引き出される箇所に制限はなく、各々１以上であればよい。
【００８９】
また、上記説明では、発光モジュールは上面視において多角形状であったが、発光モジュールの形状はこれに限らず、例えば、略円形状や略楕円形状であってもよい。
【００９０】
また、上記説明における「電気的に接続されている」とは、２つの構成要素が直接接続されている場合に限定されるものではなく、同様の機能が実現できる範囲において、当該２つの構成要素が他の構成要素を介して接続される場合も含む。
【符号の説明】
【００９１】
１００、２００、３００、４００、５３０、９００  発光モジュール
１０１、２０１、３０１、４０１、９０１、９１１、９２１  ＦＰＣ配線
１０１ａ  ＦＰＣ配線材料
１０２、１０７、２０２、３０２、４０２、９０２、９１２、９２２  電極
１０２ａ  陽極
１０２ｂ  陰極
１０３、９０３  封止層
１０４、９０４  発光層
１０５、９０５  透明基板
１０６、１６９、５５０、９０６  駆動回路
１０８  折り曲げ箇所
１０９  ワイヤボンド
１１０、５４０、９１０  面発光素子
１１３  カバーレイ
１１４  カバーレイ接着剤
１１５  金属箔
１１６  接着剤
１１７  ベース
１６１  制御電源回路
１６２  降圧チョッパ回路
１６３  発光素子電流検出回路
１６４  分圧回路
１６５  制御回路
２１１  ＦＰＣコネクタ
４１２  半田
５００、６００  照明装置
５１０  電源ユニット
５２０Ａ、５２０Ｂ  灯具
５５１  点灯装置
５５２  調光信号受信部
６０１  発光部
６０２  吊具
６０３  電源コード
６０４  灯具ケース
６０５  リモコン受光部
Ｃ１  電解コンデンサ
Ｃ２  コンデンサ
Ｄ１  回生用ダイオード
Ｌ１  インダクタ
Ｑ１  スイッチング素子
Ｒ１〜Ｒ５  抵抗
ＺＤ１  ツェナーダイオード
【図１】
2015028886.tif 000003
【図２】
2015028886.tif 000004
【図３】
2015028886.tif 000005
【図４】
2015028886.tif 000006
【図５】
2015028886.tif 000007
【図６Ａ】
2015028886.tif 000008
【図６Ｂ】
2015028886.tif 000009
【図７】
2015028886.tif 000010
【図８】
2015028886.tif 000011
【図９】
2015028886.tif 000012
【図１０】
2015028886.tif 000013
【図１１】
2015028886.tif 000014
【図１２】
2015028886.tif 000015